(57)【要約】【課題】農業経営者及び消費者のニーズ（要望）に合致した情報及び農産物を的確に提供する。【解決手段】農業経営者が備える端末機器１３と、端末機器にネットワーク１２を介して接続されたサーバ１１と、サーバに接続され農業経営者が栽培する農作物に係る情報を農作物情報として格納するデータベース１１ａとを有し、サーバには、端末機器から、少なくとも農作物が栽培される土壌の成分を示す土壌データ及び農作物の栽培管理に係る栽培管理情報が送られ、サーバはこれら土壌データ及び栽培管理データに応じて当該農作物に係る栽培管理を行う指針である栽培管理指示データを生成して、端末機器に送る。【選択図】      図１
2004334604.tif 000002
【特許請求の範囲】
【請求項１】
農業経営の管理を支援するための支援システムであって、
農業経営者が備える端末機器と、該端末機器にネットワークを介して接続されたサーバと、該サーバに接続され、前記農業経営者が栽培する農作物に係る情報を農作物情報として格納するデータベースとを有し、
前記サーバは、前記端末機器から送られ、少なくとも前記農作物が栽培される土壌の成分を示す土壌データ及び前記農作物の栽培管理に係る栽培管理情報に応じて、当該農作物に係る栽培管理を行う指針である栽培管理指示データを生成して、前記端末機器に送るようにしたことを特徴とする農業経営管理支援システム。
【請求項２】
前記サーバでは、前記土壌データ及び前記栽培管理情報に基づいて前記農作物の栽培履歴の評価を行うとともに、機能性評価を行って、該評価結果に応じて当該農作物を認証するか否かを判定し、
認証すると判定すると、前記サーバは当該農作物に認証番号を付与して、少なくとも該農作物の品種、生産者、栽培履歴を示す栽培履歴データ、及び機能性を示す機能性データを前記データベースに格納するようにしたことを特徴とする請求項１に記載の農業経営管理支援システム。
【請求項３】
前記農作物に認証番号を有する認証マークが添付されて出荷された後、前記認証番号を用いて前記サーバがアクセスされると、前記サーバは前記データベースを前記認証番号に応じて検索して、当該農作物に係る品種、生産者、栽培履歴データ、機能性データを、農作物データとして前記アクセスを行った端末装置に表示するようにしたことを特徴とする請求項２に記載の農業経営管理支援システム。
【請求項４】
前記農作物データを閲覧した後当該農作物に関して前記端末装置から意見が入力されると、前記サーバは当該農作物を生産した農業経営者の前記端末機器に前記意見を送信するようにしことを特徴とする請求項３に記載の農業経営管理支援システム。
【請求項５】
前記サーバが掲載するホームページには前記機能性データに応じた食事メニューが掲載されており、前記端末装置によって前記食事メニューから少なくとも一つを選択すると、当該選択された食事に応じた機能性食品の配達を指示する配達指示データを生成するようにしたことを特徴とする請求項３又は４に記載の農業経営管理支援システム。
【発明の詳細な説明】
【０００１】
【発明の属する技術分野】
本発明は、農業経営を支援するための農業経営管理支援システムに関し、特に、農産物栽培の支援を行うとともに機能性食品を介して予防医療等消費者に対する支援を合わせて行うための農業経営管理支援システムに関するものである。
【０００２】
【従来の技術】
一般に、農業分野においては、就農者の高齢化が進んでおり、その経営規模も極めて小さく、個々人で、新技術の導入等を行おうとしても、人的資源及び資金面から困難なことが多い。
【０００３】
例えば、農業地域では、地域で魅力のある農業を実現したい、高齢化している就農者が安心して働ける環境を作りたい、地域住民の食を通じた健康、安全等を実現したい、地元の農業を活用した食品加工を行って、地元で消費したい、農業後継者の育成、就農を推進したい、循環型、連作障害防止等持続的な農業を行いたい、農産物に付加価値をつけたい（ブランド化したい）、農業を基盤として地域の活性化を推進したい、地元で働ける場として農業を提供したい等の要望があるにもかかわらず、種々の制約に起因して実現できないのが現状である。
【０００４】
一方、農業経営面から営農計画の重要性が認識されており、営農計画は、農業経営の意思決定を行うにあたり多くの選択枝と投資効率を検討することが求められている。さらに、行政機関の認定・助成、金融機関からの資金調達も必要となるため、客観的な計画の作成が求められている。
【０００５】
このため、農業技術評価、営農計画作成に必要な形式内容の農業技術・経営データベースの収集管理と、技術体系毎の生産計画作成モデル情報とを提供して、営農リスク・多目標の生産計画作成をシミュレーションして、一定の経営資源のもとで経営目標を最大限達成する生産計画を策定し、生産計画データに連動して財務諸表を作成して定量的評価と財務分析評価を行うようにしたものがある（特許文献１参照）。
【０００６】
つまり、特許文献１においては、営農計画を作成するために必要なデータベース、生産計画作成技術、生産計画と連動した財務計画作成技術をインターネットを介して提供するため、農業経営者の端末機と、農業機械・資材メーカの端末機と、農業技術・経営研究機関の端末機と、農産物の市場開設者の端末機と、金融機関の端末機とが利用者端末機としてインターネットを介して接続された農業経営支援装置とを有して、農業経営支援装置に、インターネットに接続したファイアーウォールを含むＷｅｂサーバと、農業経営支援業務を遂行するアプリケーションサーバと、農業経営支援業務に必要な農業技術・経営情報データベースとを備えるようにしている。
【０００７】
【特許文献１】
特開２００３−３０２７８公報（段落（００２３）〜段落（００５０）、第１図及び第２図）
【０００８】
【発明が解決しようとする課題】
ところで、特許文献１に記載された農業経営支援システムにおいては、主に一定の経営資源のもとで経営目標を最大限達成する生産計画を策定し、生産計画データに連動して財務諸表を作成して定量的評価と財務分析評価を行うだけであり、農業作業支援（農薬、肥料、資材を含む）、環境との調和、食による予防医療、消費者のニーズの反映、農産物に対する評価等を総合的に管理運営しておらず、単に生産計画を、インターネットを介して策定するだけでは、農産物の生産に当たって、農業経営者が各種情報を有効に活用して、農産物の栽培を行えないという課題がある。
【０００９】
つまり、特許文献１に記載された農業経営支援システムでは、農業経営者及び消費者のニーズに合った情報及び農産物を的確に提供することが難しいという課題がある。
【００１０】
本発明の目的は、農業経営者及び消費者のニーズ（要望）に合致した情報及び農産物を的確に提供することのできる農業経営管理支援システムを提供することにある。
【００１１】
【課題を解決するための手段】
本発明によれば、農業経営の管理を支援するための支援システムであって、農業経営者が備える端末機器と、該端末機器にネットワークを介して接続されたサーバと、該サーバに接続され前記農業経営者が栽培する農作物に係る情報を農作物情報として格納するデータベースとを有し、前記サーバは、前記端末機器から送られ、少なくとも前記農作物が栽培される土壌の成分を示す土壌データ及び前記農作物の栽培管理に係る栽培管理情報に応じて当該農作物に係る栽培管理を行う指針である栽培管理指示データを生成して、前記端末機器に送るようにしたことを特徴とする農業経営管理支援システムが得られる。
【００１２】
このようにして、農業経営者が備える端末機器と、端末機器にネットワークを介して接続されたサーバと、サーバに接続され農業経営者が栽培する農作物に係る情報を農作物情報として格納するデータベースとを有して、サーバが、端末機器から送られて、少なくとも農作物が栽培される土壌の成分を示す土壌データ及び農作物の栽培管理に係る栽培管理情報に応じて当該農作物に係る栽培管理を行う指針である栽培管理指示データを生成して、端末機器に送るようにすれば、農業経営者のニーズ（要望）に合致した情報を的確に提供することができ、その結果、農業経営者は容易に農作物の栽培管理を行うことができることになる。
【００１３】
例えば、前記サーバでは、前記土壌データ及び前記栽培管理情報に基づいて前記農作物の栽培履歴の評価を行うとともに、機能性評価を行って、該評価結果に応じて当該農作物を認証するか否かを判定し、認証すると判定すると当該農作物に認証番号を付与して、少なくとも該農作物の品種、生産者、栽培履歴を示す栽培履歴データ、及び機能性を示す機能性データを前記データベースに格納する。
【００１４】
また、前記農作物に認証番号を有する認証マークが添付されて出荷された後、前記認証番号を用いて前記サーバがアクセスされると、前記サーバは前記データベースを前記認証番号に応じて検索して、当該農作物に係る品種、生産者、栽培履歴データ、機能性データを、農作物データとして前記アクセスを行った端末装置に表示する。
【００１５】
このように、サーバが土壌データ及び栽培管理情報に基づいて農作物の栽培履歴の評価を行うとともに、機能性評価を行って、この評価結果に応じて当該農作物を認証するか否かを判定し、認証すると判定すると当該農作物に認証番号を付与して、少なくとも該農作物の品種、生産者、栽培履歴を示す栽培履歴データ、及び機能性を示す機能性データを前記データベースに格納し、農作物に認証番号を有する認証マークが添付されて出荷された後、認証番号を用いてサーバがアクセスされると、サーバはデータベースを認証番号に応じて検索して、当該農作物に係る品種、生産者、栽培履歴データ、機能性データを、農作物データとしてアクセスを行った端末装置に表示するようにすれば、消費者は当該農作物に係るデータを容易に入手でき、そのニーズに合った農作物を選択することができる。
【００１６】
さらに、前記農作物データを閲覧した後当該農作物に関して前記端末装置から意見が入力されると、前記サーバは当該農作物を生産した農業経営者の前記端末機器に前記意見を送信する。
【００１７】
このようにして、農作物データを閲覧した後、当該農作物に関して端末装置から意見が入力されると、サーバは当該農作物を生産した農業経営者の端末機器に意見を送信するようにすれば、農業経営者は容易に消費者の要望を農作物栽培に反映することができることになる。
【００１８】
なお、前記サーバが掲載するホームページに前記機能性データに応じた食事メニューを掲載して、前記端末装置によって前記食事メニューから少なくとも一つを選択すると、当該選択された食事に応じた機能性食品の配達を指示する配達指示データを生成するようにしてもよい。
【００１９】
【発明の実施の形態】
以下、図面に基づいて本発明の実施の形態を例示的に詳しく説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【００２０】
図１を参照して、図示の農業経営管理支援システムは、ウェブサーバ１１を有しており、このウェブサーバ１１にはネットワーク（インターネット）１２を介して複数の端末機器１３が接続されている。この端末機器１３は、例えば、パソコン（ＰＣ）であり、農業経営者の所在地に配置されている。
【００２１】
一方、農業経営者は、少なくとも一台の作業支援機器（以下アグリロボットと呼ぶ）１４を有しており、アグリロボット１４は、農業経営者らに対して、農作業支援（農作業補助）を行う。つまり、農業経営者らは、アグリロボット１４に農作業を補助させて、効率的な農作業を行うことができる。
【００２２】
このアグリロボット１４には、少なくともセンシング部（センシング機能）１４ａ及び情報通信部（情報通信機能）１４ｂが備えられており、情報通信部１４ｂは、例えば、無線回線を介して端末機器１３に接続されている。なお、端末機器１３が無線通信機能を備えていることはいうまでもない。
【００２３】
例えば、アグリロボット１４では、センシング部１４ａによって、土壌センシングを行って土壌分析によって得られた土壌データを得る。この土壌データは無線回線を介して端末機器１３に送られ、さらに、アグリロボット１４では、センシング部１４ａによって各種農作物の生育状況等を示す農作物栽培管理情報を端末機器１３に送り、農作物毎の栽培管理情報が端末機器１３に一旦蓄積される。
【００２４】
前述のウェブサーバ１１はコンピュータシステムであり、ウェブサーバ１１は、例えば、農産物認証機関内に設けられている。そして、ウェブサーバ１１には、データベース１１ａが接続されており、このデータベー１１ａには後述するようにして各種データが蓄積される。農業経営者らは、端末機器１３を用いて、ウェブサーバ１１にアクセスして、予め規定された手続きを行うと、個別のＩＤ番号等の生産者識別子が付与されて、データベース１１ａに登録生産者として登録される。
【００２５】
上述のようにして、登録された生産者は、前述のようにして、端末機器１３に蓄積された栽培管理情報及び土壌データを、インターネット１２を介してウェブサーバ１１に送信することができる。つまり、登録された生産者は端末機器１３を用いてウェブサーバ１１にアクセスして、データ送信画面を呼び出し、このデータ送信画面においてデータ送信をクリックすると、端末機器１３に蓄積された栽培管理情報及び土壌データが栽培履歴情報としてウェブサーバ１１に送られる。そして、ウェブサーバ１１では、生産者識別子に対応付けて栽培履歴情報をデータベース１１ａに格納する。
【００２６】
農産物認証機関（つまり、ウェブサーバ１１）では、予めデータベース１１ａに蓄積された土壌診断データに応じて土壌データを評価して、当該土壌に対する（つまり、栽培農作物に適した）施肥管理データを生成するとともに、土壌データ、栽培品種、及び事前に蓄積した防除データに応じて使用可能な生物農薬データを求める。
【００２７】
さらに、ウェブサーバ１１では、栽培管理情報に基づいて栽培履歴の評価を行うとともに、土壌データをも加味して機能性評価を行い、評価結果を得る（機能性を有する食品とは、食による予防医療、食による心のケア、食の安全を満たす食品（オルタナティブメディンズ食品）のことである）。そして、ウェブサーバ１１では、栽培管理情報及び機能性に係るデータをそれぞれ栽培管理データ及び機能性データとしてデータベース１１ａに格納する。
【００２８】
上述の施肥管理データ及び生物農薬データは、農作物管理指示データとして登録生産者に対応付けて、データベース１１ａに格納されるとともに、ウェブサーバ１１では、該当する登録生産者の端末機器１３に農作物管理指示データを送るとともに、前述の評価結果を端末機器１３に送る。
【００２９】
このようにして、登録生産者は、農作物管理指示データを用いて土壌管理等の栽培履歴を管理することになって、的確に農作物の栽培履歴管理を行うことができることになる。さらに、登録生産者は、評価結果を見て、自己の栽培管理が適切であるか否かを知ることができる。つまり、図２に示すように、農業経営者（生産者）は農産物認証機関との間で、各種栽培情報の送受を行うことになり、さらに、後述するようにして、消費者情報が農産物認証機関から生産者に与えられることになる。
【００３０】
一方、農産物認証機関では、前述のようにして、土壌及び栽培履歴を評価して、適切であると認定すると、当該農作物に対して認証マーク（トレース番号付き）を付与する（例えば、ウェブサーバ１１から該当する登録生産者（端末機器１３）にその旨が通知される）。これによって、当該農作物を生産する生産者にはトレース番号（認定番号）が付与されて、データベース１１ａには、トレース番号に対応付けて、農作物の品種、生産者、栽培履歴データ、及び機能性データが格納されることになる。
【００３１】
このようにして、認証マークが付与されると、登録生産者は、当該農作物を認証マーク付きで出荷できることになって、後述するようにして、栽培履歴及び機能性（機能性食品に関する情報）等を閲覧することができる。具体的には、農作物は、収穫の後、集荷センター２１に集荷され、ここで、選別・包装の後、認証マーク（トレース番号つき）が添付されて、出荷されることになる。
【００３２】
上述のような認証マーク（トレース番号つき）が添付された農作物を購入した消費者は、トレース番号を用いて当該農産物に係る品種、生産者、栽培履歴データ、及び機能性データ等を閲覧することができる。例えば、消費者端末装置（消費者が使用するＰＣ等：以下単に端末装置と呼ぶ）２２を用いて消費者は、インターネット１２を介してウェブサーバ１１にアクセスする。これによって、端末装置２２の画面には認証機関のホームページが表示され、画面上の農作物データボタンをクリックすると、農作物データ表示画面に遷移する。
【００３３】
そして、農作物データ表示画面でトレース番号を入力すると、ウェブサーバ１１では、当該トレース番号に応じてデータベース１１ａにアクセスして、当該農作物に係る品種、栽培者（生産者）、栽培履歴データ、及び機能性データを、端末装置２２の画面に表示する（以下これら品種、栽培者（生産者）、栽培履歴データ、及び機能性データを農作物データと総称することがある）。
【００３４】
消費者は、当該農作物を実際に消費した結果及び端末装置２２に表示された農作物データに基づいて意見を述べることができる。意見を述べる際には、農作物データが表示された画面上の意見欄ボタンをクリックすると、意見記入画面に遷移する。消費者は当該意見記入画面に意見を記載した後、意見送信ボタンをクリックすると、当該意見がウェブサーバ１１に送られて、トレース番号に対応付けて、データベース１１ａに蓄積される。
【００３５】
さらに、当該意見は、消費者情報としてトレース番号に対応する登録生産者の端末機器１３に送信され、登録生産者は、消費者の意見を見ることができ、消費者の意見（消費者情報）を農作物栽培に反映することができることになる。
【００３６】
上述のようにして、農産物認証機関では、消費者から消費者情報を収集するとともに、消費者に対して農産物の安全性を開示することになる。つまり、図２に示すように、農産物認証機関から安全、安心情報付き農産物が開示されることになる。
【００３７】
このようにして、農業経営者（つまり、登録生産者）らは、自己栽培する農作物の品質を高めて、消費者のニーズに適合したものとすることができ、しかも、登録生産者らは、各種栽培データを入手することができるから、農作物の栽培に当たっての管理が極めて容易となる。
【００３８】
ところで、図１に示す例においては、前述のように、農産物認証機関が農産物の機能性（機能性成分）に係る評価を行っているが、別に、図２に示すように、機能性食品認証機関を設けて、この機能性認証機関において、例えば、食の処方、機能性食品の認証、安全性及び機能性の評価を行うとともに、生体調節機能を基盤にした代替医療の研究を行って、例えば、食と病、食と心、食と安全、食と和漢診療に関する研究を行うようにしてもよく、さらには、機能性認証機関に診療所を併設するようにしてもよい。
【００３９】
そして、診療所では、恒常性を維持するための診察、カウンセリング、食事療法等を処方している。そして、診療所では、前述のデータベース１１ａに蓄積された機能性データに基づいて機能性食品による食事メニューを処方する。
【００４０】
さらに、前述の認証農作物を原料として加工された機能性食品を、診療所食事メニューに応じてパッケージ化して冷凍状態で消費者等に配達される。例えば、農産物認証機関及び機能性認証機関においてウェブサーバ１１を共通に使用して、消費者等が、端末装置２２を用いてウェブサーバ１１にアクセスして、ホームページを端末装置２２に表示した後、診療所食事メニューボタンをクリックすると、診療所食事メニューが端末装置２２に表示されるようにしてもよい。
【００４１】
そして、所望の診療所食事を選択すると、ウェブサーバ１１は当該食事に対して配達指令データを生成して、プリントアウトする。そして、この配達データに基づいて当該診療所食事に係る機能性食品を該当する消費者に配達することになる。そして、機能性認証機関では、図２に示すように、消費者に対して機能性メニューを提供するとともに、各種農産物に対してその安全性・機能性を認証し、さらに、機能性食品に応じて消費者に処方・診断を行うようにしてもよい。
【００４２】
【発明の効果】
以上説明したように、本発明によれば、農業経営者が備える端末機器と、端末機器にネットワークを介して接続されたサーバと、サーバに接続され農業経営者が栽培する農作物に係る情報を農作物情報として格納するデータベースとを有して、サーバが、端末機器から送られて、少なくとも農作物が栽培される土壌の成分を示す土壌データ及び農作物の栽培管理に係る栽培管理情報に応じて当該農作物に係る栽培管理を行う指針である栽培管理支指示データを生成して、端末機器に送るようにしたから、農業経営者のニーズ（要望）に合致した情報を的確に提供することができ、農業経営者は容易に農作物の栽培管理を行うことができるという効果がある。
【００４３】
本発明では、サーバが土壌データ及び栽培管理情報に基づいて農作物の栽培履歴の評価を行うとともに、機能性評価を行って、この評価結果に応じて当該農作物を認証するか否かを判定し、認証すると判定すると当該農作物に認証番号を付与して、少なくとも該農作物の品種、生産者、栽培履歴を示す栽培履歴データ、及び機能性を示す機能性データを前記データベースに格納し、農作物に認証番号を有する認証マークが添付されて出荷された後、認証番号を用いてサーバがアクセスされると、サーバはデータベースを認証番号に応じて検索して、当該農作物に係る品種、生産者、栽培履歴データ、機能性データを、農作物データとしてアクセスを行った端末装置に表示するようにしたから、消費者は当該農作物に係るデータを容易に入手でき、そのニーズに合った農作物を選択することができるという効果がある。
【００４４】
さらに、本発明では、農作物データを閲覧した後、当該農作物に関して端末装置から意見が入力されると、サーバは当該農作物を生産した農業経営者の端末機器に意見を送信するようにしたから、農業経営者は容易に消費者の要望を農作物栽培に反映することができるという効果がある。
【図面の簡単な説明】
【図１】本発明による農業経営管理支援システムの一例を示すブロック図である。
【図２】本発明による農業経営管理支援システムにおける各種情報の送受の一例を示す図である。
【符号の説明】
１１  ウェブサーバ
１１ａ  データベース
１２  ネットワーク（インターネット）
１３  端末機器
１４  作業支援機器（アグリロボット）
１４ａ  センシング部（センシング機能）
１４ｂ  情報通信部（情報通信機能）
２１  集荷センター
２２  端末装置
【図１】
2004334604.tif 000003
【図２】
2004334604.tif 000004